(57)【要約】【課題】監視サービスにおいて、被保護者の周囲で自動車等を運転する運転者等に対して、被保護者に対する注意を喚起すること。【解決手段】情報処理システムは、送信機から送信されるビーコン信号を受信するビーコン信号受信部と、前記ビーコン信号に含まれる情報に基づいて、通知対象の送信機であるか否かを判定する対象判定部と、前記対象判定部が、通知対象の前記送信機であると判定した場合に、注意が必要であることを通知する通知部と、を備える。【選択図】図３
2019053417.tif 000002
【特許請求の範囲】
【請求項１】
送信機から送信されるビーコン信号を受信するビーコン信号受信部と、
前記ビーコン信号に含まれる情報を参照して、前記送信機が通知対象の送信機であるか否かを判定する対象判定部と、
前記対象判定部が、通知対象の送信機であると判定した場合に、注意が必要であることを通知する通知部と、
を備える情報処理システム。
【請求項２】
前記ビーコン信号の受信信号レベルが第１閾値以上であるか否かを判定する要注意判定部、をさらに備え、
前記通知部は、前記要注意判定部が前記ビーコン信号の受信信号レベルが第１閾値以上であると判定した場合に、注意が必要であることを通知する、
請求項１に記載の情報処理システム。
【請求項３】
周囲情報を取得する取得部と、
前記周囲情報を参照して、注意が必要であるか否かを判定する要注意判定部と、
をさらに備え、
前記通知部は、前記要注意判定部による判定結果に応じて、注意が必要であることを通知する、
請求項１または請求項２に記載の情報処理システム。
【請求項４】
前記情報に対応する送信元情報を取得する送信元取得部、をさらに備え、
前記要注意判定部は、前記送信元情報と前記周囲情報とを参照して、注意度を算出し、
前記通知部は、算出した注意度が第１所定閾値以上である場合に、注意が必要であることを通知する、
請求項３に記載の情報処理システム。
【請求項５】
前記ビーコン信号受信部を搭載する移動体の周囲に注意が必要であることを通知する周囲通知部、をさらに備え、
前記要注意判定部は、前記送信元情報と前記周囲情報とを参照して、注意度を算出し、
前記周囲通知部は、算出した注意度が第２所定閾値以上である場合に、注意が必要であることを移動体の周囲に通知する、
請求項４に記載の情報処理システム。
【請求項６】
前記情報処理システムは、移動体に搭載され、
前記移動体の速度情報を取得する移動体情報取得部、をさらに備え、
前記要注意判定部は、前記速度情報と、前記送信元情報と、前記周囲情報と、を参照して、注意度を算出する、
請求項４に記載の情報処理システム。
【請求項７】
前記情報処理システムは、移動体に搭載され、
前記移動体の速度情報を取得する移動体情報取得部と、
前記情報に対応する送信元情報を取得する送信元取得部と、
前記速度情報と、前記送信元情報と、を参照して、注意が必要であるか否かを判定する要注意判定部と、
をさらに備える、
請求項１に記載の情報処理システム。
【請求項８】
送信機から送信されるビーコン信号を受信するビーコン信号受信部と、
前記ビーコン信号に含まれる情報を参照して、通知対象の送信機であるか否かを判定する対象判定部と、
前記対象判定部が、通知対象の前記送信機であると判定した場合に、注意が必要であることを通知する通知部と、
を備える情報処理装置。
【請求項９】
コンピュータが、
送信機から送信されるビーコン信号を受信する受信過程と、
前記ビーコン信号に含まれる情報に基づいて、通知対象の送信機であるか否かを判定する対象判定過程と、
前記対象判定過程により、通知対象の前記送信機であると判定された場合に、注意が必要であることを通知する通知過程と、
を有する情報処理方法。
【請求項１０】
コンピュータが、
送信機から送信されるビーコン信号を受信する受信ステップと、
前記ビーコン信号に含まれる情報に基づいて、通知対象の送信機であるか否かを判定する対象判定ステップと、
前記対象判定ステップにより、通知対象の前記送信機であると判定された場合に、注意が必要であることを通知する通知ステップと、
を実行するためのプログラム。
【発明の詳細な説明】
【技術分野】
【０００１】
本発明は、情報処理システム、情報処理装置、情報処理方法、およびプログラムに関する。
【背景技術】
【０００２】
高齢者や子供などの被保護者を監視するサービスが知られている。このような監視サービスとして、例えば、電話機でビーコン信号を受信すると、電話機と接続された車載装置が位置情報を検出し、ビーコン信号の識別情報と、位置情報とを電話機の基地局装置に送信し、基地局装置から保護者の端末装置に送信するものがある（特許文献１参照）。
【先行技術文献】
【特許文献】
【０００３】
【特許文献１】特開平６−２０４９３９号公報
【発明の概要】
【発明が解決しようとする課題】
【０００４】
ここで、高齢者や子供などの被保護者は、信号機がない交差点における急な横断や、道路への急な飛び出しなどの、交通事故を誘発する行動をとることがある。従って、自動車等を運転する運転者は、交通事故を防ぐために、自動車の周囲にいる高齢者や子供などの被保護者に対して注意を向ける必要がある。
しかしながら、特許文献１の技術を用いても、保護者に対して被保護者の位置情報を通知することはできるものの、被保護者の周囲で自動車等を運転する運転者等に対して、被保護者に対する注意を喚起することができないという課題があった。
【０００５】
本発明は、上記の点に鑑みてなされたものであり、監視サービスにおいて、被保護者の周囲で自動車等を運転する運転者等に対して、被保護者に対する注意を喚起することができる情報処理システム、情報処理装置、情報処理方法、およびプログラムを提供することを課題とする。
【課題を解決するための手段】
【０００６】
（１）本発明は上記の課題を解決するためになされたものであり、本発明の一態様は、送信機から送信されるビーコン信号を受信するビーコン信号受信部と、前記ビーコン信号に含まれる情報に基づいて、通知対象の送信機であるか否かを判定する対象判定部と、前記対象判定部が、通知対象の前記送信機であると判定した場合に、注意が必要であることを通知する通知部と、を備える情報処理システムである。
【０００７】
（２）また、本発明の一態様は、（１）に記載の情報処理システムであって、前記ビーコン信号の受信信号レベルが第１閾値以上であるか否かを判定する要注意判定部、をさらに備え、前記通知部は、前記要注意判定部が前記ビーコン信号の受信信号レベルが第１閾値以上であると判定した場合に、注意が必要であることを通知する。
【０００８】
（３）また、本発明の一態様は、（１）または（２）に記載の情報処理システムであって、周囲情報を取得する取得部と、前記周囲情報に基づいて、注意が必要であるか否かを判定する要注意判定部と、をさらに備え、前記通知部は、前記要注意判定部による判定結果に応じて、注意が必要であることを通知する。
【０００９】
（４）また、本発明の一態様は、（３）に記載の情報処理システムであって、前記情報に対応する送信元情報を取得する送信元取得部、をさらに備え、前記要注意判定部は、前記送信元情報と前記周囲情報とに基づいて、注意度を算出し、前記通知部は、算出した注意度が第１所定閾値以上である場合に、注意が必要であることを通知する。
【００１０】
（５）また、本発明の一態様は、（４）に記載の情報処理システムであって、前記要注意判定部は、前記送信元情報と前記周囲情報とに基づいて、注意度を算出し、前記通知部は、算出した注意度が第２所定閾値以上である場合に、注意が必要であることを周囲に通知する。
【００１１】
（６）また、本発明の一態様は、（４）に記載の情報処理システムであって、前記情報処理システムは、移動体に搭載され、前記要注意判定部は、前記移動体の速度情報と、前記送信元情報と、前記周囲情報と、に基づいて、注意度を算出する。
【００１２】
（７）また、本発明の一態様は、（１）に記載の情報処理システムであって、前記情報処理システムは、移動体に搭載され、前記移動体の速度情報を取得する移動体情報取得部と、前記情報に対応する送信元情報を取得する送信元取得部と、前記速度情報と、前記送信元情報と、を参照して、注意が必要であるか否かを判定する要注意判定部と、をさらに備える。
【００１３】
（８）また、本発明は上記の課題を解決するためになされたものであり、本発明の一態様は、送信機から送信されるビーコン信号を受信するビーコン信号受信部と、前記ビーコン信号に含まれる情報に基づいて、通知対象の送信機であるか否かを判定する対象判定部と、前記対象判定部が、通知対象の前記送信機であると判定した場合に、注意が必要であることを通知する通知部と、を備える情報処理装置である。
【００１４】
（９）また、本発明は上記の課題を解決するためになされたものであり、本発明の一態様は、コンピュータが、送信機から送信されるビーコン信号を受信する受信過程と、前記ビーコン信号に含まれる情報に基づいて、通知対象の送信機であるか否かを判定する対象判定過程と、前記対象判定過程により、通知対象の前記送信機であると判定された場合に、注意が必要であることを通知する通知過程と、を有する情報処理方法である。
【００１５】
（１０）また、本発明は上記の課題を解決するためになされたものであり、本発明の一態様は、コンピュータが、送信機から送信されるビーコン信号を受信する受信ステップと、前記ビーコン信号に含まれる情報に基づいて、通知対象の送信機であるか否かを判定する対象判定ステップと、前記対象判定ステップにより、通知対象の前記送信機であると判定された場合に、注意が必要であることを通知する通知ステップと、を実行するためのプログラムである。
【発明の効果】
【００１６】
本発明によれば、監視サービスにおいて、被保護者の周囲で自動車等を運転する運転者等に対して、被保護者に対する注意を喚起することができる。
【図面の簡単な説明】
【００１７】
【図１】本発明の第１の実施形態に係る情報処理システムの構成の一例を示すシステム構成図である。
【図２】本発明の第１の実施形態に係る情報処理装置のハードウェア構成の一例を示す概略ブロック図である。
【図３】本発明の第１の実施形態に係る情報処理装置の機能構成の一例を示す概略ブロック図である。
【図４】本発明の第１の実施形態に係る注意スコア算出における重み付けテーブルの一例を示す説明図である。
【図５】本発明の第１の実施形態に係るサーバ装置のハードウェア構成の一例を示す概略ブロック図である。
【図６】本発明の第１の実施形態に係るサーバ装置の機能構成の一例を示す概略ブロック図である。
【図７】本発明の第１の実施形態に係る注意度判定処理の一例を示すシーケンス図である。
【図８】本発明の第１の実施形態に係る注意度判定処理の一例を示すフローチャートである。
【図９】本発明の第２の実施形態に係る受信レベルの閾値算出テーブルの一例を示す説明図である。
【図１０】本発明の第２の実施形態に係る注意度判定処理の一例を示すフローチャートである。
【図１１】本発明の第３の実施形態に係る情報処理装置の機能構成の一例を示す概略ブロック図である。
【図１２】本発明の第３の実施形態に係る注意度判定処理の一例を示すフローチャートである。
【図１３】本発明の第４の実施形態に係る情報処理装置の機能構成の一例を示す概略ブロック図である。
【図１４】本発明の第４の実施形態に係るサーバ装置の機能構成の一例を示す概略ブロック図である。
【図１５】本発明の第４の実施形態に係る注意度判定処理の一例を示すシーケンス図である。
【図１６】本発明の第４の実施形態に係る注意度判定処理の一例を示すフローチャートである。
【図１７】本発明の第５の実施形態に係る注意度判定処理の一例を示すフローチャートである。
【発明を実施するための形態】
【００１８】
（第１の実施形態）
以下、図面を参照しながら本発明の第１の実施形態について説明する。
図１は、本発明の第１の実施形態に係る情報処理システムの構成の一例を示すシステム構成図である。
情報処理システムは、送信機１と、車両Ｃと、基地局装置３と、サーバ装置４と、を含んで構成される。基地局装置３は、セルＣＥを形成し、セルＣＥ内の端末装置等と通信する。例えば、基地局装置３は、無線通信により車両Ｃに搭載された端末装置（非図示）と通信する。基地局装置３と、サーバ装置４とは、有線または無線によりネットワークＮＷと接続され、各種情報を通信する。
【００１９】
例えば、情報処理システムは、子供、高齢者等の被保護者の監視サービスに適用される。監視サービスにおける監視対象には、被保護者（人）の他、ペット等の動物、ボール等の遊具等も含まれる。
【００２０】
送信機１は、監視対象ＵＳ１（例えば、被保護者）によって携行され、所定周期でビーコン信号を送信する。送信機１が送信するビーコン信号には、送信機１を識別する識別情報が含まれる。なお、以下の説明では、送信機１がビーコン信号を送信するビーコン送信機である場合の一例について説明するが、無線通信タグやスマートフォン等の電子機器であってもよい。この場合、該電子機器が送信する該電子機器の識別情報を含む送信信号をビーコン信号として用いればよい。
基地局装置３は、例えば、ＬＴＥ基地局装置である。
サーバ装置４は、ビーコン信号の識別情報等の複数の送信元情報を記憶するサーバ装置である。以下の説明では、基地局装置３と、サーバ装置４とを一体に構成した場合の一例として、サーバ装置５と称して説明する。
また、以下の説明では、移動体として車両Ｃを一例として説明するが、ドローン等の飛行体、人等の移動体であってもよい。また、以下の説明では、車両Ｃに搭載された端末装置（非図示）を情報処理装置２と称して説明する。
【００２１】
情報処理装置２は、送信機１が送信するビーコン信号を受信する。情報処理装置２は、車両Ｃの走行中に送信機１のビーコン信号を検出すると、サーバ装置５が記憶する送信元情報を参照して、ビーコン信号を送信した送信機１が、監視対象（通知対象）の送信機１であるか否かを判定する。情報処理装置２は、監視対象の送信機１であると判定した場合、車両Ｃの運転者に、運転に注意が必要であることを表すアラートメッセージＮＴを通知する。また、情報処理装置２は、車両Ｃの位置情報に基づいて、車両Ｃの位置の周囲の周囲情報をサーバ装置５から取得し、周囲情報、車両Ｃの速度情報などに基づいて注意度を算出する。情報処理装置２は、算出した注意度と、閾値とを比較判定し、判定結果に応じて運転者にアラートメッセージＮＴを通知する。
【００２２】
なお、アラートメッセージＮＴは、例えば、音声、表示装置などに表示される文字などであってもよいし、振動装置による振動、車両Ｃのブレーキ、アクセル等の駆動装置の自動制御、車両Ｃのクラクションによる警告音などであってもよい。また、通知は、フロントガラスなどに表示させてもよい。
【００２３】
図２は、本発明の第１の実施形態に係る情報処理装置２のハードウェア構成の一例を示す概略ブロック図である。
情報処理装置２は、ＣＰＵ２０１と、ドライブ部２０２と、記憶媒体２０３と、入力部２０４と、出力部２０５と、ＲＯＭ２０６（Ｒｅａｄ  Ｏｎｌｙ  Ｍｅｍｏｒｙ）と、ＲＡＭ２０７（Ｒａｎｄｏｍ  Ａｃｃｅｓｓ  Ｍｅｍｏｒｙ）と、補助記憶部２０８と、インタフェース部２０９と、を備える。ＣＰＵ２０１と、ドライブ部２０２と、入力部２０４と、出力部２０５と、ＲＯＭ２０６と、ＲＡＭ２０７と、補助記憶部２０８と、インタフェース部２０９とは、バスを介して相互に接続される。
なお、ここで言うＣＰＵ２０１は、プロセッサ一般のことを示すものであって、狭義のいわゆるＣＰＵと呼ばれるデバイスのことだけではなく、例えばＧＰＵやＤＳＰ等も含む。また、ここで言うＣＰＵ２０１は、一つのプロセッサで実現されることに限られず、同じ、または異なる種類の複数のプロセッサを組み合わせることで実現されてもよい。
【００２４】
ＣＰＵ２０１は、補助記憶部２０８、ＲＯＭ２０６およびＲＡＭ２０７が記憶するプログラムを読み出して実行し、また、補助記憶部２０８、ＲＯＭ２０６およびＲＡＭ２０７が記憶する各種データを読み出し、補助記憶部２０８、ＲＡＭ２０７に対して各種データを書き込むことにより、情報処理装置２を制御する。また、ＣＰＵ２０１は、ドライブ部２０２を介して記憶媒体２０３が記憶する各種データを読み出し、また、記憶媒体２０３に各種データを書き込む。記憶媒体２０３は、光磁気ディスク、フレキシブルディスク、フラッシュメモリなどの可搬記憶媒体であり、各種データを記憶する。
ドライブ部２０２は、光ディスクドライブ、フレキシブルディスクドライブなどの記憶媒体２０３の読み書きを行う装置である。
【００２５】
入力部２０４は、マウス、キーボード、タッチパネル、チャンネルボタン、電源ボタン、設定ボタン、赤外線受信部などの入力装置である。
出力部２０５は、表示部、スピーカなどの出力装置である。
ＲＯＭ２０６、ＲＡＭ２０７は、情報処理装置２の各機能部を動作させるためのプログラムや各種データを記憶する。
補助記憶部２０８は、ハードディスクドライブ、フラッシュメモリなどであり、情報処理装置２の各機能部を動作させるためのプログラム、各種データを記憶する。
インタフェース部２０９は、通信インタフェースを有し、有線または無線によりネットワークＮＷや送信機１と接続される。
【００２６】
例えば、後述する図３における情報処理装置２の機能構成における制御部２２は、図２におけるＣＰＵ２０１に対応し、図３における信号受信部２３、通信部２４は、図２におけるインタフェース部２０９に対応し、図３における記憶部２１は、図２におけるＲＯＭ２０６、またはＲＡＭ２０７、または補助記憶部２０８、またはそれらの何れかの組み合わせに対応する。
【００２７】
図３は、本発明の第１の実施形態に係る情報処理装置２の機能構成の一例を示す概略ブロック図である。
情報処理装置２は、記憶部２１と、制御部２２と、信号受信部２３と、通信部２４と、を含んで構成される。記憶部２１は、運転者情報記憶部２１１を含んで構成される。制御部２２は、情報取得部２５と、注意判定部２６と、通知部２７と、を含んで構成される。情報取得部２５は、車両情報取得部２５１と、位置情報取得部２５２と、送信元情報取得部２５３と、周囲情報取得部２５４と、を含んで構成される。
【００２８】
記憶部２１は、情報処理装置２の各種情報を記憶部する。具体的には、運転者情報記憶部２１１は、運転者情報を記憶する。運転者情報は、運転者に関する情報であり、運転者の年齢、健康レベル、運転能力（スキル）、運転の慎重度合、運転者の性格（気性）、運転者の血圧、運転者の体温、運転者の心拍数等のうちの少なくとも１つが含まれる。運転者情報は、運転者等によって事前に登録されてもよいし、各種センサにより、例えば、運転者の血圧、体温、心拍数、運転者の運転能力を表す値などを定期的に取得・更新してもよい。
【００２９】
信号受信部２３は、情報処理装置２の周囲の送信機１から送信されるビーコン信号を受信し、受信したビーコン信号の受信レベル（信号レベル）を測定する。ビーコン信号には、送信機１の識別情報が少なくとも含まれる。信号受信部２３は、測定した信号レベルと、ビーコン信号とを制御部２２に出力する。
【００３０】
通信部２４は、制御部２２から出力される各種の情報や信号をサーバ装置５に送信する。また、通信部２４は、サーバ装置５から受信した各種の情報や信号を制御部２２に出力する。
【００３１】
制御部２２は、情報処理装置２を制御する。
情報取得部２５（移動体情報取得部とも称する）は、各種情報を取得する。具体的には、車両情報取得部２５１は、信号受信部２３からビーコン信号が入力されると、車両に関する車両情報を各種センサにより取得する。車両情報は、少なくとも車両の速度情報、車両の加速度情報、エンジンの状態情報、時刻情報等のうちのいずれかを含む情報である。ここで、エンジンは、燃料エンジンなどの原動機やモーターなどの原動機である。エンジンの状態情報は、エンジンの回転数やエンジンのオンオフ状態等の情報である。ここで、エンジンのオフ状態には、アイドル状態も含まれ、エンジンが完全に停止している状態や、所定値以下のエンジン回転数でエンジンが回転している状態も含まれる。車両情報取得部２５１は、取得した車両情報を注意判定部２６に出力する。また、車両情報取得部２５１は、位置情報取得部２５２にトリガ信号を出力する。
【００３２】
位置情報取得部２５２は、車両情報取得部２５１からトリガ信号が入力されると、ＧＰＳ（Ｇｌｏｂａｌ  Ｐｏｓｉｔｉｏｎｉｎｇ  Ｓｙｓｔｅｍ）により、車両の位置情報を取得する。位置情報取得部２５２は、取得した位置情報を周囲情報取得部２５４に出力する。また、位置情報取得部２５２は、送信元情報取得部２５３にトリガ信号を出力する。
【００３３】
送信元情報取得部２５３は、位置情報取得部２５２からトリガ信号が入力されると、信号受信部２３から入力されたビーコン信号に含まれる識別情報を、通信部２４を介してサーバ装置５に送信する。送信元情報取得部２５３は、通信部２４を介してサーバ装置５から送信元情報を取得すると、送信元情報を注意判定部２６に出力する。
【００３４】
ここで、送信元情報は、送信機１の識別番号に対応づけられた送信元に関する情報である。送信元に関する情報には、属性情報、送信機１を携行する監視対象の年齢、健康レベル、速度、加速度等の情報が含まれる。属性情報は、例えば、子供、高齢者、ペット、遊具、その他等の監視対象の種別を表す情報である。健康レベルは、監視対象の健康状態が不良であるか、良好であるか、その他であるかを表す情報である。速度は、監視対象の平均的な移動速度（例えば時速）を表す情報である。加速度は、監視対象の平均的な加速度を表す情報であり、例えば、大、中、小で表される情報である。これらの送信元情報は、予め送信機１の識別情報と対応付けて記憶されているものとして説明するが、定期的に更新されてもよい。送信元情報は、１つの情報によって構成されてもよいし、上記の各種情報の一部または全部や、それ以外の情報含む複数の情報によって構成されてもよい。また、速度情報や加速度情報等の送信元の状態によって動的に変化する各種情報は、識別情報と対応付けで記憶せずに、ビーコン信号から直接取得してもよい。
【００３５】
周囲情報取得部２５４は、位置情報取得部２５２から位置情報が入力されると、位置情報を、通信部２４を介してサーバ装置５に送信する。周囲情報取得部２５４は、通信部２４を介してサーバ装置５から周囲情報を取得すると、周囲情報を注意判定部２６に出力する。
ここで、周囲情報は、車両の位置情報を中心とした周囲の環境情報であり、例えば、周辺道路の道幅、周辺施設、信号機の位置や点灯状態、周辺道路の交通量、高速道路あるいは一般道などの情報である。
【００３６】
注意判定部２６は、信号受信部２３から入力されるビーコン信号および受信レベル、車両情報取得部２５１から入力される車両情報、送信元情報取得部２５３から入力される送信元情報、周囲情報取得部２５４から入力される周囲情報、運転者情報記憶部２１１が記憶する運転者情報に基づいて、注意度を算出し、運転者が監視対象に対して注意が必要であるか否かを判定する。
【００３７】
具体的には、注意判定部２６は、自装置で取得可能な車両情報、自装置で記憶する運転者情報に基づいて、それぞれの情報に対して重み付けして注意スコアを算出する。また、注意判定部２６は、サーバ装置５から取得した送信元情報、周囲情報に基づいて、それぞれの情報体に対して重み付けして注意スコアを算出する。注意判定部２６は、算出した注意スコアを全て加算演算することにより、注意度を算出する。図４を参照してより具体的に説明する。
【００３８】
図４は、本発明の第１の実施形態に係る注意スコア算出における重み付けテーブルの一例を示す説明図である。
図示する重み付けテーブルは、情報種別、情報カテゴリごとに基準値と、重みとが対応づけられた２次元の行と列から成る表形式のテーブルである。
【００３９】
例えば、情報種別：送信元情報には、情報カテゴリとして、属性、健康レベル、速度、加速度などが対応付けられている。図４の例では、情報カテゴリ：属性は属性情報を表し、基準値として、「０」〜「１」の範囲の値が属性ごとに対応付けられる。図４の例では、属性：子供には基準値「１」、属性：高齢者には基準値「０．６」、属性：ペットには基準値「０．３」、属性：遊具には基準値「０．２」、属性：その他には基準値「０」が対応付けられている。また、情報カテゴリ：属性には重み「ａ１」が対応付けられている。
【００４０】
また、例えば、情報カテゴリ：健康レベルは、監視対象の健康レベルを表し、健康レベル：不良には基準値「１」、健康レベル：良好には基準値「０」、健康レベル：その他には基準値「０」が対応付けられている。また、情報カテゴリ：健康レベルには重み「ａ２」が対応付けられている。
【００４１】
また、例えば、情報カテゴリ：速度は、監視対象の平均的な移動速度を表し、速度が時速５キロ未満であるときには基準値「速度を５で除算した値」、時速５キロ以上のときには基準値「１」が対応付けられている。また、情報カテゴリ：速度には重み「ａ３」が対応付けられている。なお、ビーコン信号に速度が含まれる場合、ビーコン信号に含まれる速度に基づいて基準値を算出してもよいし、ビーコン信号に速度が含まれない場合には、予め監視対象の平均移動速度（時速）に基づいて、基準値を算出してもよい。
【００４２】
また、例えば、情報カテゴリ：加速度は、監視対象の平均的な加速度を表し、加速度：大には基準値「１」、加速度：中には基準値「０．５」、加速度：小には基準値「０」が対応付けられている。加速度の「大」「中」「小」は、監視対象の年齢に応じて決定されてもよいし、監視対象の送信元情報を登録するときに任意に決定されてもよい。情報カテゴリ：加速度には、重み「ａ４」が対応付けられている。なお、ビーコン信号に加速度情報が含まれる場合、ビーコン信号に含まれる加速度情報に基づいて基準値を算出してもよい。
【００４３】
例えば、情報種別：車両情報には、情報カテゴリとして、速度、加速度、エンジン状態、時刻などが対応付けられている。情報カテゴリ：速度は、車両の移動速度を表し、速度が時速４０キロ未満であるときには基準値「速度を４０で除算した値」、時速４０キロ以上のときには基準値「１」が対応付けられている。また、情報カテゴリ：速度には重み「ｂ２」が対応付けられている。
ここで、時速６０キロ程度で走行可能な幹線道路等では、子供の飛び出しなどが起こりにくく、時速３０キロ程度で走行可能な生活道路等では、子供の飛び出しなどが起こりやすい。このため、車両の移動速度が大きいほど基準値を大きくするのではなく、生活道路の速度制限値に合わせて基準値を設定することで、注意度判定時の判定制度を向上させることができる。
【００４４】
また、例えば、情報カテゴリ：加速度は、車両の加速度を表し、加速度：大には基準値「１」、加速度：中には基準値「０．５」、加速度：小には基準値「０」が対応付けられている。加速度の「大」「中」「小」は、車種や排気量によって予め決定されてもよいし、所定時間における移動距離や、所定速度への到達時間などによって決定されてもよいし、センサによって測定される加速度に応じて決定されてもよい。情報カテゴリ：加速度には重み「ｂ３」が対応付けられている。
【００４５】
また、例えば、情報カテゴリ：エンジン状態は、エンジン状態情報を表し、エンジン状態：回転数大には基準値「１」、エンジン状態：回転数小には基準値「０．５」、エンジン状態：オフには基準値「０」が対応付けられている。情報カテゴリ：エンジン状態には重み「ｂ４」が対応付けられている。
【００４６】
また、例えば、情報カテゴリ：時刻は、車両情報として取得した時刻情報を表し、時刻：時間帯１８時〜６時（夜）には基準値「１」、時刻：時間帯６時〜１８時（昼）には基準値「０」が対応付けられている。情報カテゴリ：時刻には重み「ｂ５」が対応付けられている。なお、時間帯は、季節や日付情報等に応じて設定されてもよい。
【００４７】
同様にして、周囲情報、運転者情報の情報種別に対して、情報カテゴリ、基準値、重みが対応付けられているが、説明を省略する。
なお、それぞれの重みの値は、同じ値であってもよいし、異なる値であってもよい。
また、図４に示す情報カテゴリに加えて、又は代えて任意の情報カテゴリを用いてもよく、例えば、ビーコン受信レベルを加えてもよい。
【００４８】
図３に戻り、注意判定部２６は、図４に示すような重み付けテーブルに基づいて、各部から入力された車両情報、送信元情報、周囲情報、運転者情報に対して、それぞれの基準値に、それぞれの重みを乗算して、情報種別ごと、情報カテゴリごとに注意スコアを算出する。注意判定部２６は算出したすべての注意スコアを加算して、注意度を算出する。
また、注意判定部２６は、算出した注意度が所定閾値以上であるか否かを判定し、運転者が監視対象に対して注意が必要であるか否かを判定する。注意判定部２６は、注意度が所定閾値以上であると判定した場合、通知部２７に判定結果を出力する。
【００４９】
通知部２７は、注意判定部２６から判定結果が入力されると、監視対象に対する注意が必要であることを、運転者に通知する。
【００５０】
なお、信号受信部２３を複数備え、各信号受信部におけるビーコン信号の受信時刻差や受信レベル差に応じて監視対象の位置を推定してもよい。この場合、例えば、推定した位置と、注意度に応じて運転者に通知してもよい。
なお、位置情報を取得しなくてもよい。この場合、サーバ装置５に対して周囲情報取得要求のみをすればよい。
また、車両情報、周囲情報、位置情報を取得しなくてもよい。この場合、送信元情報に応じて注意が必要であるか否かを通知すればよい。
【００５１】
図５は、本発明の第１の実施形態に係るサーバ装置５のハードウェア構成の一例を示す概略ブロック図である。
サーバ装置５は、ＣＰＵ５０１と、ドライブ部５０２と、記憶媒体５０３と、入力部５０４と、出力部５０５と、ＲＯＭ５０６（Ｒｅａｄ  Ｏｎｌｙ  Ｍｅｍｏｒｙ）と、ＲＡＭ５０７（Ｒａｎｄｏｍ  Ａｃｃｅｓｓ  Ｍｅｍｏｒｙ）と、補助記憶部５０８と、インタフェース部５０９と、を備える。ＣＰＵ５０１と、ドライブ部５０２と、入力部５０４と、出力部５０５と、ＲＯＭ５０６と、ＲＡＭ５０７と、補助記憶部５０８と、インタフェース部５０９とは、バスを介して相互に接続される。
なお、ここで言うＣＰＵ５０１は、プロセッサ一般のことを示すものであって、狭義のいわゆるＣＰＵと呼ばれるデバイスのことだけではなく、例えばＧＰＵやＤＳＰ等も含む。また、ここで言うＣＰＵ５０１は、一つのプロセッサで実現されることに限られず、同じ、または異なる種類の複数のプロセッサを組み合わせることで実現されてもよい。
【００５２】
ＣＰＵ５０１は、補助記憶部５０８、ＲＯＭ５０６およびＲＡＭ５０７が記憶するプログラムを読み出して実行し、また、補助記憶部５０８、ＲＯＭ５０６およびＲＡＭ５０７が記憶する各種データを読み出し、補助記憶部５０８、ＲＡＭ５０７に対して各種データを書き込むことにより、サーバ装置５を制御する。また、ＣＰＵ５０１は、ドライブ部５０２を介して記憶媒体５０３が記憶する各種データを読み出し、また、記憶媒体５０３に各種データを書き込む。記憶媒体５０３は、光磁気ディスク、フレキシブルディスク、フラッシュメモリなどの可搬記憶媒体であり、各種データを記憶する。
ドライブ部５０２は、光ディスクドライブ、フレキシブルディスクドライブなどの記憶媒体５０３の読み書きを行う装置である。
【００５３】
入力部５０４は、マウス、キーボード、タッチパネル、チャンネルボタン、電源ボタン、設定ボタン、赤外線受信部などの入力装置である。
出力部５０５は、表示部、スピーカなどの出力装置である。
ＲＯＭ５０６、ＲＡＭ５０７は、サーバ装置５の各機能部を動作させるためのプログラムや各種データを記憶する。
補助記憶部５０８は、ハードディスクドライブ、フラッシュメモリなどであり、サーバ装置５の各機能部を動作させるためのプログラム、各種データを記憶する。
インタフェース部５０９は、通信インタフェースを有し、有線または無線によりネットワークＮＷに接続される。
【００５４】
例えば、後述する図６におけるサーバ装置５の機能構成における制御部５２は、図５におけるＣＰＵ５０１に対応し、図６における通信部５１は、図５におけるインタフェース部５０９に対応し、図６における記憶部５３は、図５におけるＲＯＭ２０６、またはＲＡＭ２０７、または補助記憶部５０８、またはそれらの何れかの組み合わせに対応する。
【００５５】
図６は、本発明の第１の実施形態に係るサーバ装置５の機能構成の一例を示す概略ブロック図である。
サーバ装置５は、通信部５１と、制御部５２と、記憶部５３と、を含んで構成される。記憶部５３は、送信元情報記憶部５３１と、周囲情報記憶部５３２と、を含んで構成される。なお、送信元情報記憶部５３１と、周囲情報記憶部５３２とは、別々に設けられてもよく、例えば、送信元情報記憶部５３１をネットワーク上のいずれかの装置に設けられ、周囲情報記憶部５３２を基地局装置３に設けられてもよい。
【００５６】
通信部５１は、情報処理装置２と通信する。
記憶部５３は、各種情報を記憶する。具体的には、送信元情報記憶部５３１は、送信機１の識別情報毎に、送信元情報を記憶する。周囲情報記憶部５３２は、位置情報と対応付けて通信範囲（セル）内の周囲情報を記憶する。なお、周囲情報は、通信範囲内の周囲情報に限定されず、例えば、位置情報と対応づけてさらに詳細な区域、あるいは大まかな区域内の周辺情報を記憶してもよい。
【００５７】
制御部５２は、サーバ装置５を制御する。
例えば、制御部５２は、通信部５１を介して情報処理装置２から識別情報を受信すると、送信元情報記憶部５３１を参照して、識別情報に対応する送信元情報を抽出する。また、通信部５１を介して情報処理装置２から位置情報を受信すると、位置情報に対応する周囲情報を抽出する。制御部５２は、抽出した送信元情報と周囲情報とを、通信部５１を介して情報処理装置２に送信する。
【００５８】
なお、制御部５２は、送信元情報記憶部５３１が、識別情報に対応する送信元情報を記憶していない場合、送信元情報を送信しなくてもよいし、送信元情報が存在しないことを通知してもよい。
なお、制御部５２は、情報処理装置２から位置情報が入力されない場合、識別情報を受信したときに、自装置の通信範囲（セル）内の周囲情報を情報処理装置２に対して送信してもよい。
【００５９】
図７は、本発明の第１の実施形態に係る注意度判定処理の一例を示すシーケンス図である。
ステップＳＴ１０１、ステップＳＴ１０１ａ、ステップＳＴ１０１ｂにおいて、送信機１は、所定周期でビーコン信号を送信する。
ステップＳＴ１０３において、情報処理装置２は、送信機１が送信するビーコン信号を受信すると、受信レベルを測定する。
ステップＳＴ１０５において、情報処理装置２は、受信したビーコン信号から識別情報を取得する。
【００６０】
ステップＳＴ１０７において、情報処理装置２は、自装置で取得した位置情報と、識別情報とをサーバ装置５に送信する。
ステップＳＴ１０９において、サーバ装置５は、識別情報に基づいて送信元情報を抽出する。
ステップＳＴ１１１において、サーバ装置５は、送信元情報を情報処理装置２に送信する。
【００６１】
ステップＳＴ１１３において、サーバ装置５は、位置情報に基づいて、周囲情報を抽出する。
ステップＳＴ１１５において、サーバ装置５は、周囲情報を情報処理装置２に送信する。
ステップＳＴ１１７において、情報処理装置２は、周囲情報、車両情報、送信元情報、運転者情報に基づいて、注意度判定処理を行う。
なお、周辺情報は、情報処理装置２と通信するサーバ装置５（基地局装置３）が切り替わるタイミング、あるいは周辺情報が切り替わるタイミングなど、定期的に情報処理装置２に通知されてもよい。この場合、情報処理装置２は、該周囲情報を、位置情報に基づいて記憶してもよい。また、周辺情報は、情報処理装置２に搭載された搭載カメラによる画像から画像認識等により取得してもよい。
【００６２】
図８は、本発明の第１の実施形態に係る注意度判定処理の一例を示すフローチャートである。
ステップＳ１０１において、信号受信部２３は、ビーコン信号の検出を開始する。ビーコン信号を検出した場合（ステップＳ１０１；ＹＥＳ）、情報処理装置２は、ステップＳ１０３の処理を実行する。一方、ビーコン信号が検出されない場合（ステップＳ１０１；ＮＯ）、信号受信部２３は、ステップＳ１０１の処理を繰り返す。
ステップＳ１０３において、送信元情報取得部２５３は、ビーコン信号に含まれる識別情報をサーバ装置５に送信し、サーバ装置５から識別情報に対応する送信元情報を取得する。
【００６３】
ステップＳ１０５において、送信元情報取得部２５３は、サーバ装置５から送信元情報を取得できたか否かに応じて、注意度判定処理を実行するビーコン信号であるか否か、すなわち、監視対象の送信機１から送信されたビーコン信号であるか否かを判定する。監視対象の送信機１から送信されたビーコン信号であると判定した場合（ステップＳ１０５；ＹＥＳ）、周囲情報取得部２５４は、ステップＳ１０７の処理を実行する。一方、監視対象の送信機１から送信されたビーコン信号でないと判定した場合（ステップＳ１０５；ＮＯ）、情報処理装置２は、注意度判定処理を終了する。
なお、ステップＳ１０５において、サーバ装置５から送信元情報がない旨の通知があった場合、またはタイムアウトした場合、情報処理装置２は、注意度判定処理を終了してもよい。また、送信元情報が道案内、プッシュ広告、クーポン配信用等に設置された固定されたビーコン等の監視対象でない送信機であると判断できない場合には、すべて監視対象の送信機１と判定してもよい。
【００６４】
ステップＳ１０７において、周囲情報取得部２５４は、位置情報をサーバ装置５に送信し、位置情報に対応する周囲情報をサーバ装置５から取得する。
ステップＳ１０９において、車両情報取得部２５１は、車両情報を取得し、取得した車両情報を注意判定部２６に出力する。注意判定部２６は、運転者情報記憶部２１１から運転者情報を読み出す。なお、センサなどによって運転者情報を取得する場合、例えば、センサによって運転者の血圧、体温などの生体データを取得する場合、注意判定部２６は、取得した生体データを運転者情報として、運転者情報記憶部２１１に記憶させる。
【００６５】
ステップＳ１１１において、注意判定部２６は、運転者情報、周囲情報、送信元情報、車両情報に基づいて、注意スコアを算出し、注意スコアから注意度を算出する。
ステップＳ１１３において、注意判定部２６は、算出した注意度が所定閾値以上であるか否かを判定する。注意度が所定閾値以上である場合（ステップＳ１１３；ＹＥＳ）、通知部２７は、ステップＳ１１５の処理を実行する。一方、注意度が所定閾値未満である場合（ステップＳ１１３；ＮＯ）、情報処理装置２は、ステップＳ１１７の処理を実行する。
【００６６】
ステップＳ１１５において、通知部２７は、注意判定部２６から入力された判定結果を監視対象に対して注意が必要であることを表す注意メッセージ（アラートともいう）を運転者に通知する。その後、注意判定処理を終了する。
ステップＳ１１７において、注意判定部２６は、信号受信部２３からビーコン信号が入力されているか否かを判定する。ビーコン信号が入力されている場合（ステップＳ１１７；ＹＥＳ）、車両情報取得部２５１は、ステップＳ１１９の処理を実行する。一方、ビーコン信号が入力されていない場合（ステップＳ１１７；ＮＯ）、情報処理装置２は、注意度判定処理を終了する。
【００６７】
ステップＳ１１９において、車両情報取得部２５１は、車両情報を更新し、注意判定部２６は、ステップＳ１１１の処理を実行する。なお、ビーコン受信レベルを注意度算出に用いる場合、車両情報の更新を、ビーコン受信レベルの更新と合わせて行ってもよい。
【００６８】
このように、第１の実施形態に係る情報処理システムは、送信機１から送信されるビーコン信号を受信する信号受信部２３と、ビーコン信号に含まれる情報に基づいて、通知対象の送信機１であるか否かを判定する送信元情報取得部２５３と、送信元情報取得部２５３が、通知対象の送信機１であると判定した場合に、注意が必要であることを通知する通知部２７と、を備える。
また、周囲情報を取得する周囲情報取得部２５４と、周囲情報に基づいて、注意が必要であるか否かを判定する注意判定部２６と、をさらに備え、通知部２７は、注意判定部２６による判定結果に応じて、注意が必要であることを通知する。
また、情報に対応する送信元情報を取得する送信元情報取得部２５３、をさらに備え、注意判定部２６は、送信元情報と周囲情報とに基づいて、注意度を算出し、通知部２７は、算出した注意度が第１所定閾値以上である場合に、注意が必要であることを通知する。
【００６９】
このような構成により、被保護者の周囲で自動車等を運転する運転者等に対して、被保護者に対する注意を喚起することができ、監視サービスにおけるユーザの利便性を向上させることができる。
【００７０】
（第２の実施形態）
以下、図面を参照しながら本発明の第２の実施形態について説明する。
第１の実施形態では、危険度と閾値とを比較して危険度を通知するか否かを判定する場合について説明した。第２の実施形態では、危険度と閾値とを比較する代わりに、受信レベルの閾値を算出し、算出した閾値と受信レベルとを比較して危険度を通知するか否かを判定する場合の一例について説明する。
【００７１】
ここで、第１の実施形態に係る情報処理装置２の構成と第２の実施形態に係る情報処理装置２の構成とは、同様の構成であるため、図示を省略し、第２の実施形態で異なる部分を中心に説明する。また、第１の実施形態に係るサーバ装置５の構成と第２の実施形態に係るサーバ装置５の構成とは、同様の構成であるため、図示および説明を省略する。
【００７２】
注意判定部２６は、注意スコアを算出する。また、注意判定部２６は、注意スコアに基づいて、注意度を算出する。注意判定部２６は、算出した注意度に基づいて、受信レベルの閾値を算出する。図９を参照して詳述する。
【００７３】
図９は、本発明の第２の実施形態に係る受信レベルの閾値算出テーブルの一例を示す説明図である。
図示する例は、注意度と、受信レベルの閾値とが対応付けられた行と列から成る２次元の表形式のテーブルである。
例えば、注意度が１０以上である場合、ビーコン信号の受信レベルの閾値は−１００ｄＢｍと算出され、注意度が９以上１０未満である場合、ビーコン信号の受信レベルの閾値は、−９６ｄＢｍと算出され、注意度が８以上９未満である場合、ビーコン信号の受信レベルの閾値は−９２ｄＢｍと算出され、注意度が７以上８未満である場合、ビーコン信号の受信レベルの閾値は、−８８ｄＢｍと算出され、注意度が６以上７未満である場合、ビーコン信号の受信レベルの閾値は−８４ｄＢｍと算出され、注意度が５以上６未満である場合、ビーコン信号の受信レベルの閾値は、−８０ｄＢｍと算出され、注意度が４以上５未満である場合、ビーコン信号の受信レベルの閾値は−７６ｄＢｍと算出され、注意度が３以上４未満である場合、ビーコン信号の受信レベルの閾値は、−７２ｄＢｍと算出され、注意度が２以上３未満である場合、ビーコン信号の受信レベルの閾値は−６８ｄＢｍと算出され、注意度が１以上２未満である場合、ビーコン信号の受信レベルの閾値は、−６４ｄＢｍと算出され、注意度が１未満である場合、ビーコン信号の受信レベルの閾値は−６０ｄＢｍと算出される。
このように、注意度と、受信レベルが対応付けられており、注意判定部２６は、算出した注意度に基づいて、ビーコン信号の受信レベルの閾値を算出する。
【００７４】
注意判定部２６は、信号受信部２３から入力されるビーコン信号の受信レベルが、算出したビーコンの受信レベルの閾値以上であるか否かを判定する。信号受信部２３から入力されるビーコン信号の受信レベルが、算出したビーコンの受信レベルの閾値以上である場合、通知部２７に判定結果を出力する。
【００７５】
図１０は、本発明の第２の実施形態に係る注意度判定処理の一例を示すフローチャートである。
ステップＳ２０１において、信号受信部２３は、ビーコン信号の検出を開始する。ビーコン信号を検出した場合（ステップＳ２０１；ＹＥＳ）、情報処理装置２は、ステップＳ２０３の処理を実行する。一方、ビーコン信号が検出されない場合（ステップＳ２０１；ＮＯ）、信号受信部２３は、ステップＳ２０１の処理を繰り返す。
ステップＳ２０３において、送信元情報取得部２５３は、ビーコン信号に含まれる識別情報をサーバ装置５に送信し、サーバ装置５から識別情報に対応する送信元情報を取得する。
【００７６】
ステップＳ２０５において、送信元情報取得部２５３は、サーバ装置５から送信元情報を取得できたか否かに応じて、注意度判定処理を実行するビーコン信号であるか否か、すなわち、監視対象の送信機１から送信されたビーコン信号であるか否かを判定する。監視対象の送信機１から送信されたビーコン信号であると判定した場合（ステップＳ２０５；ＹＥＳ）、周囲情報取得部２５４は、ステップＳ２０７の処理を実行する。一方、監視対象の送信機１から送信されたビーコン信号でないと判定した場合（ステップＳ２０５；ＮＯ）、情報処理装置２は、注意度判定処理を終了する。
なお、ステップＳ２０５において、サーバ装置５から送信元情報がない旨の通知があった場合、またはタイムアウトした場合、情報処理装置２は、注意度判定処理を終了してもよい。なお、送信元情報が道案内、プッシュ広告、クーポン配信用等に設置された固定されたビーコン等の監視対象でない送信機１であると判断できない場合には、すべて監視対象の送信機１と判定してもよい。
【００７７】
ステップＳ２０７において、周囲情報取得部２５４は、位置情報をサーバ装置５に送信し、位置情報に対応する周囲情報をサーバ装置５から取得する。
ステップＳ２０９において、車両情報取得部２５１は、車両情報を取得し、取得した車両情報を注意判定部２６に出力する。注意判定部２６は、運転者情報記憶部２１１から運転者情報を読み出す。なお、センサなどによって運転者情報を取得する場合、例えば、センサによって運転者の血圧、体温などの生体データを取得する場合、注意判定部２６は、取得した生体データを運転者情報として、運転者情報記憶部２１１に記憶させる。
【００７８】
ステップＳ２１１において、注意判定部２６は、運転者情報、周囲情報、送信元情報、車両情報に基づいて、注意スコアを算出し、注意スコアから注意度を算出する。
ステップＳ２１２において、注意判定部２６は、算出した注意度に基づいて、ビーコン信号の受信レベルの閾値を算出する。
ステップＳ２１３において、注意判定部２６は、信号受信部２３から入力されるビーコンの受信レベルが、算出した閾値以上であるか否かを判定する。ビーコン信号の受信レベルが閾値以上である場合（ステップＳ２１３；ＹＥＳ）、通知部２７は、ステップＳ２１５の処理を実行する。一方、ビーコン信号の受信レベルが閾値未満である場合（ステップＳ２１３；ＮＯ）、情報処理装置２は、ステップＳ２１７の処理を実行する。
【００７９】
ステップＳ２１５において、通知部２７は、注意判定部２６から入力された判定結果を監視対象に対して注意が必要であることを表す注意メッセージ（アラートともいう）を運転者に通知する。その後、注意判定処理を終了する。
ステップＳ２１７において、注意判定部２６は、信号受信部２３からビーコン信号が入力されているか否かを判定する。ビーコン信号が入力されている場合（ステップＳ２１７；ＹＥＳ）、車両情報取得部２５１は、ステップＳ２１９の処理を実行する。一方、ビーコン信号が入力されていない場合（ステップＳ２１７；ＮＯ）、情報処理装置２は、注意度判定処理を終了する。
【００８０】
ステップＳ２１９において、信号受信部２３は、受信信号レベルを測定し、注意判定部２６に出力し、注意判定部２６は、ステップＳ２１３の処理を実行する。
【００８１】
このように、第２の実施形態に係る情報処理システムは、送信機１から送信されるビーコン信号を受信する信号受信部２３と、ビーコン信号に含まれる識別情報に基づいて、通知対象の送信機１であるか否かを判定する送信元情報取得部２５３と、送信元情報取得部２５３が、通知対象の送信機１であると判定した場合に、注意が必要であることを通知する通知部２７と、を備える。
また、周囲情報を取得する周囲情報取得部２５４と、周囲情報に基づいて、注意が必要であるか否かを判定する注意判定部２６と、をさらに備え、通知部２７は、注意判定部２６による判定結果に応じて、注意が必要であることを通知する。
また、識別情報に対応する送信元情報を取得する送信元情報取得部２５３、をさらに備え、注意判定部２６は、送信元情報と周囲情報とに基づいて、注意度を算出し、通知部２７は、算出した注意度が第１所定閾値以上である場合に、注意が必要であることを通知する。
また、ビーコン信号の受信信号レベルが第１閾値以上であるか否かを判定する注意判定部２６、をさらに備え、通知部２７は、注意判定部２６がビーコン信号の受信信号レベルが第１閾値以上であると判定した場合に、注意が必要であることを通知する。
【００８２】
このような構成により、監視対象に対する注意が必要であることを運転者に対して通知することができ、監視サービスにおけるユーザの利便性を向上させることができる。
また、近くに存在する送信機１から送信されたビーコン信号ほど受信レベルが大きくなるため、遠くの監視対象よりも近くの監視対象に対する注意をより強く喚起することができる。また、運転者への注意喚起の精度を向上させることができる。また、不要な注意喚起を削減することができるため、通知に対して運転者に注目させることができる。
【００８３】
（第３の実施形態）
以下、図面を参照しながら本発明の第３の実施形態について説明する。
第１の実施形態では、危険度と閾値とを比較して危険度を通知するか否かを判定する場合について説明した。第３の実施形態では、危険度と複数の閾値とを比較して危険度を通知するか否か、通知する場合の通知態様を判定する場合の一例について説明する。
ここで、第１の実施形態に係るサーバ装置５の構成と第３の実施形態に係るサーバ装置５の構成とは、同様の構成であるため、図示および説明を省略する。
【００８４】
図１１は、本発明の第３の実施形態に係る情報処理装置２の機能構成の一例を示す概略ブロック図である。
情報処理装置２は、記憶部２１と、制御部２２と、信号受信部２３と、通信部２４と、を含んで構成される。記憶部２１は、運転者情報記憶部２１１と、閾値記憶部２１２と、運転履歴記憶部２１３と、を含んで構成される。制御部２２は、情報取得部２５と、注意判定部２６と、通知部２７と、を含んで構成される。情報取得部２５は、車両情報取得部２５１と、位置情報取得部２５２と、送信元情報取得部２５３と、周囲情報取得部２５４と、を含んで構成される。
以下の説明では、第１の実施形態に係る情報処理装置２と異なる部分を中心に説明し、それ以外は説明を省略する。
【００８５】
閾値記憶部２１２は、閾値情報を記憶する。閾値記憶部２１２は、例えば、注意度に関する第１閾値、注意度に関する第２閾値、注意度に関する第３閾値を閾値情報として記憶する。ここで、第１閾値は、第２閾値、第３閾値よりも小さい値であり、第２閾値は、第３閾値よりも小さい値である。閾値記憶部２１２は、各閾値を、予め記憶してもよいし、ユーザ操作に応じて記憶してもよい。
運転履歴記憶部２１３は、運転履歴情報を記憶する。運転履歴情報は、アクセル、ブレーキ操作の履歴情報や、走行速度や、音声・画像によって走行時に撮影された画像などの運転履歴を表す情報である。運転履歴情報には、時刻や年月日などの日時情報が含まれる。
【００８６】
注意判定部２６は、閾値記憶部２１２が記憶する閾値情報を読み出し、算出した注意度と、閾値情報に含まれる各閾値とを比較判定する。具体的には、注意判定部２６は、算出した注意度が第１閾値以上であれば、運転履歴記憶部２１３に運転履歴情報を記憶させる。また、注意判定部２６は、算出した注意度が第２閾値以上であれば、判定結果を通知部２７に出力する。また、注意判定部２６は、算出した注意度が第３閾値以上であれば、判定結果を通知部２７に出力する。
【００８７】
通知部２７は、注意判定部２６から注意度が第２閾値以上であることを表す判定結果が入力されると、運転者に注意が必要であることを表す注意メッセージを通知する。また、通知部２７は、注意判定部２６から注意度が第３閾値以上であることを表す判定結果が入力されると、車両の周囲に、車両に対して注意が必要であることを表す注意メッセージを報知する。周囲に報知する注意メッセージは、音などで通知されるのが好ましいが、この限りではない。
なお、通知部２７は、運転者に対して注意メッセージを通知する通知部と、周囲に対して音声等により注意メッセージを報知する周囲通知部とを含んで構成されてもよい。
【００８８】
図１２は、本発明の第３の実施形態に係る注意度判定処理の一例を示すフローチャートである。
ステップＳ３０１において、信号受信部２３は、ビーコン信号の検出を開始する。ビーコン信号を検出した場合（ステップＳ３０１；ＹＥＳ）、情報処理装置２は、ステップＳ３０３の処理を実行する。一方、ビーコン信号が検出されない場合（ステップＳ３０１；ＮＯ）、信号受信部２３は、ステップＳ３０１の処理を繰り返す。
ステップＳ３０３において、送信元情報取得部２５３は、ビーコン信号に含まれる識別情報をサーバ装置５に送信し、サーバ装置５から識別情報に対応する送信元情報を取得する。
【００８９】
ステップＳ３０５において、送信元情報取得部２５３は、サーバ装置５から送信元情報を取得できたか否かに応じて、注意度判定処理を実行するビーコン信号であるか否か、すなわち、監視対象の送信機１から送信されたビーコン信号であるか否かを判定する。監視対象の送信機１から送信されたビーコン信号であると判定した場合（ステップＳ３０５；ＹＥＳ）、周囲情報取得部２５４は、ステップＳ３０７の処理を実行する。一方、監視対象の送信機１から送信されたビーコン信号でないと判定した場合（ステップＳ３０５；ＮＯ）、情報処理装置２は、注意度判定処理を終了する。
なお、ステップＳ３０５において、サーバ装置５から送信元情報がない旨の通知があった場合、またはタイムアウトした場合、情報処理装置２は、注意度判定処理を終了してもよい。なお、送信元情報が道案内、プッシュ広告、クーポン配信用等に設置された固定されたビーコン等の危険対象でない送信機であると判断できない場合には、すべて監視対象の送信機と判定してもよい。
【００９０】
ステップＳ３０７において、周囲情報取得部２５４は、位置情報をサーバ装置５に送信し、位置情報に対応する周囲情報をサーバ装置５から取得する。
ステップＳ３０９において、車両情報取得部２５１は、車両情報を取得し、取得した車両情報を注意判定部２６に出力する。注意判定部２６は、運転者情報記憶部２１１から運転者情報を読み出す。なお、センサなどによって運転者情報を取得する場合、例えば、センサによって運転者の血圧、体温などの生体データを取得する場合、注意判定部２６は、取得した生体データを運転者情報として、運転者情報記憶部２１１に記憶させる。
【００９１】
ステップＳ３１１において、注意判定部２６は、運転者情報、周囲情報、送信元情報、車両情報に基づいて、注意スコアを算出し、注意スコアから注意度を算出する。
ステップＳ３１３において、注意判定部２６は、注意度が第１閾値以上であるか否かを判定する。注意度が第１閾値以上である場合（ステップＳ３１３；ＹＥＳ）、注意判定部２６は、ステップＳ３１５の処理を実行する。一方、注意度が第１閾値未満である場合（ステップＳ３１３；ＮＯ）、注意判定部２６は、ステップＳ３２５の処理を実行する。
ステップＳ３１５において、注意判定部２６は、運転履歴情報を運転履歴記憶部２１３に記憶させる。
【００９２】
ステップＳ３１７において、注意判定部２６は、注意度が第２閾値以上であるか否かを判定する。注意度が第２閾値以上である場合（ステップＳ３１７；ＹＥＳ）、注意判定部２６は、ステップＳ３１９の処理を実行する。一方、注意度が第２閾値未満である場合（ステップＳ３１７；ＮＯ）、注意判定部２６は、ステップＳ３２５の処理を実行する。
ステップＳ３１９において、注意判定部２６は、通知部２７に判定結果を出力し、通知部２７は、運転者に監視対象に対する注意が必要であることを表す注意メッセージを通知する。
【００９３】
ステップＳ３２１において、注意判定部２６は、注意度が第３閾値以上であるか否かを判定する。注意度が第３閾値以上である場合（ステップＳ３２１；ＹＥＳ）、注意判定部２６は、ステップＳ３２３の処理を実行する。一方、注意度が第３閾値未満である場合（ステップＳ３２１；ＮＯ）、注意判定部２６は、ステップＳ３２５の処理を実行する。
ステップＳ３２３において、注意判定部２６は、判定結果を通知部２７に出力し、通知部２７は、車両の周囲に、該車両に対する注意が必要であることを報知する注意メッセージを報知する。なお、報知方法は、車車間の直接通信機能で報知してもよいし、あるいはネットワーク経由で報知してもよい。また、クラクション等の音で報知してもよい。
【００９４】
ステップＳ３２５において、注意判定部２６は、信号受信部２３からビーコン信号が入力されているか否かを判定する。ビーコン信号が入力されている場合（ステップＳ３２５；ＹＥＳ）、車両情報取得部２５１は、ステップＳ３２７の処理を実行する。一方、ビーコン信号が入力されていない場合（ステップＳ３２５；ＮＯ）、情報処理装置２は、注意度判定処理を終了する。
ステップＳ３２７において、車両情報取得部２５１は、車両情報を更新し、注意判定部２６に出力する。そして、注意判定部２６は、ステップＳ３１１の処理を実行する。
なお、ビーコン受信レベルを注意度算出に用いる場合、車両情報の更新を、ビーコン受信レベルの更新と合わせて行ってもよい。
【００９５】
このように、第３の実施形態に係る情報処理システムは、送信機１から送信されるビーコン信号を受信する信号受信部２３と、ビーコン信号に含まれる情報に基づいて、通知対象の送信機１であるか否かを判定する送信元情報取得部２５３と、送信元情報取得部２５３が、通知対象の送信機１であると判定した場合に、注意が必要であることを通知する通知部２７と、を備える。
また、周囲情報を取得する周囲情報取得部２５４と、周囲情報に基づいて、注意が必要であるか否かを判定する注意判定部２６と、をさらに備え、通知部２７は、注意判定部２６による判定結果に応じて、注意が必要であることを通知する。
また、情報に対応する送信元情報を取得する送信元情報取得部２５３、をさらに備え、注意判定部２６は、送信元情報と周囲情報とに基づいて、注意度を算出し、通知部２７は、算出した注意度が第１所定閾値（第２閾値）以上である場合に、注意が必要であることを通知する。
また、注意判定部２６は、送信元情報と周囲情報とに基づいて、注意度を算出し、通知部２７は、算出した注意度が第２所定閾値（第３閾値）以上である場合に、注意が必要であることを周囲に通知する。
【００９６】
このような構成により、監視対象に対する注意が必要であることを運転者に対して通知することができ、監視サービスにおけるユーザの利便性を向上させることができる。
また、監視対象に対しても、監視対象が周囲の車両等に対する注意が必要であることを報知することができるため、監視サービスにおけるユーザの利便性を向上させることができる。
【００９７】
（第４の実施形態）
以下、図面を参照しながら本発明の第４の実施形態について説明する。
第１の実施形態から第３の実施形態では、情報処理装置２が注意度判定処理を行う場合について説明した。第４の実施形態では、サーバ装置５において、注意度判定処理を行う場合の一例について説明する。
【００９８】
図１３は、本発明の第４の実施形態に係る情報処理装置２の機能構成の一例を示す概略ブロック図である。
情報処理装置２は、記憶部２１と、制御部２２と、信号受信部２３と、通信部２４と、を含んで構成される。
記憶部２１は、運転者情報記憶部２１１を含んで構成される。制御部２２は、情報取得部２５と、通知部２７と、を含んで構成される。情報取得部２５は、車両情報取得部２５１と、位置情報取得部２５２と、を含んで構成される。
【００９９】
運転者情報記憶部２１１は、運転者情報を記憶する。
車両情報取得部２５１は、通信部２４を介してサーバ装置５から車両情報取得要求を受信すると、車両情報を取得する。車両情報取得部２５１は、取得した車両情報を、通信部２４を介してサーバ装置５に送信する。
位置情報取得部２５２は、信号受信部２３からビーコン信号が入力されると、ＧＰＳにより、車両の位置情報を取得する。位置情報取得部２５２は、位置情報と、ビーコン信号に含まれる識別情報とを、通信部２４を介してサーバ装置５に送信する。
通知部２７は、通信部２４を介してサーバ装置５から判定結果を受信すると、運転者に注意メッセージを通知する。
【０１００】
信号受信部２３は、情報処理装置２の周囲の送信機１から送信されるビーコン信号を受信し、受信したビーコン信号の受信レベル（信号レベル）を測定する。ビーコン信号には、送信機１の識別情報が少なくとも含まれる。信号受信部２３は、測定した信号レベルと、ビーコン信号とを制御部２２に出力する。
通信部２４は、制御部２２から出力される各種の情報や信号をサーバ装置５に送信する。また、通信部２４は、サーバ装置５から受信した各種の情報や信号を制御部２２に出力する。
【０１０１】
図１４は、本発明の第４の実施形態に係るサーバ装置５の機能構成の一例を示す概略ブロック図である。
サーバ装置５は、通信部５１と、制御部５２と、記憶部５３と、を含んで構成される。制御部５２は、情報要求部５５と、注意判定部５６と、を含んで構成される。情報要求部５５は、車両情報要求部５５１を含んで構成される。
【０１０２】
通信部５１は、情報処理装置２と通信する。具体的には、通信部５１は、情報処理装置２から送信機１の識別情報および位置情報を受信すると、識別情報と位置情報とを、注意判定部５６に出力する。また、通信部５１は、注意判定部５６から車両情報を取得するための要求が入力されると、要求を情報処理装置２に送信する。また、通信部５１は、情報処理装置２から車両情報を受信すると、車両情報を注意判定部５６に出力する。また、通信部５１は、注意判定部５６から判定結果が入力されると、判定結果を情報処理装置２に送信する。
【０１０３】
記憶部５３は、各種情報を記憶する。具体的には、送信元情報記憶部５３１は、送信機１の識別情報毎に、送信元情報を記憶する。周囲情報記憶部５３２は、位置情報と対応付けて通信範囲（セル）内の周囲情報を記憶する。
なお、周囲情報は、通信範囲内の周囲情報に限定されず、例えば、位置情報と対応づけてさらに詳細な区域、あるいは大まかな区域内の周辺情報を記憶してもよい。
制御部５２は、サーバ装置５を制御する。
車両情報要求部５５１は、注意判定部５６から入力されるトリガ信号に基づいて、情報処理装置２に、通信部５１を介して車両情報を要求する。車両情報要求部５５１は、通信部を介して、情報処理装置２から車両情報が入力されると、注意判定部５６に車両情報を出力する。
【０１０４】
注意判定部５６は、通信部５１を介して情報処理装置２から識別情報と位置情報とが入力されると、送信元情報記憶部５３１を参照して、監視対象の送信機１であるか否かを判定する。注意判定部５６は、監視対象の送信機１の識別情報であると判定した場合、車両情報を、通信部５１を介して情報処理装置２に要求する。また、注意判定部５６は、位置情報に基づいて、周囲情報記憶部５３２を参照して、位置情報に対応する周囲情報を抽出する。注意判定部５６は、通信部５１を介して情報処理装置２から車両情報が入力されると、車両情報と周囲情報とに基づいて注意度判定処理を実行する。注意度判定処理は、第１の実施形態から第３の実施形態と同様のため説明を省略する。注意判定部５６は、注意度判定処理により、監視対象に対して注意が必要であると判定した場合、判定結果として、注意が必要であることを表す注意メッセージを、通信部５１を介して情報処理装置２に送信する。
【０１０５】
図１５は、本発明の第４の実施形態に係る注意度判定処理の一例を示すシーケンス図である。
ステップＳＴ２０１、ステップＳＴ２０１ａにおいて、送信機１は、所定周期でビーコン信号を送信する。
ステップＳＴ２０３において、情報処理装置２は、送信機１が送信するビーコン信号を受信すると、受信レベルを測定する。また、情報処理装置２は、受信したビーコン信号から識別情報を取得する。
【０１０６】
ステップＳＴ２０５において、情報処理装置２は、位置情報と、識別情報とをサーバ装置５に送信する。
ステップＳＴ２０７において、サーバ装置５は、識別情報に対応する送信元情報が記憶されているか否かによって監視対象の送信機１であるか否かを判定する。サーバ装置５は、監視対象の送信機１であると判定した場合、すなわち、識別情報に対応する送信元情報が、送信元情報記憶部５３１に記憶されている場合、識別情報に対応する送信元情報を抽出する。なお、送信元情報が道案内、プッシュ広告、クーポン配信用等に設置された固定されたビーコン等の監視対象でない送信機１であると判断できない場合には、すべて監視対象の送信機１と判定してもよい。
【０１０７】
ステップＳＴ２０９において、サーバ装置５は、情報処理装置２に車両情報と運転者情報を要求する。
ステップＳＴ２１１において、サーバ装置５は、位置情報に基づいて、周囲情報を抽出する。
ステップＳＴ２１３において、情報処理装置２は、サーバ装置５に車両情報を送信する。
ステップＳＴ２１５において、サーバ装置５は、送信元情報と、周囲情報と、車両情報と、運転者情報とに基づいて、注意度判定処理を行う。
【０１０８】
ステップＳＴ２１７において、サーバ装置５は、注意度判定処理の判定結果を、情報処理装置２に送信する。
ステップＳＴ２１９において、情報処理装置２は、サーバ装置５から判定結果を受信すると、監視対象に対する注意が必要であることを通知する注意メッセージを、運転者に対して通知する。
【０１０９】
図１６は、本発明の第４の実施形態に係る注意度判定処理の一例を示すフローチャートである。
ステップＳ４０１において、信号受信部２３は、ビーコン信号の検出を開始する。ビーコン信号を検出した場合（ステップＳ４０１；ＹＥＳ）、情報処理装置２は、識別情報と位置情報とをサーバ装置５に送信し、サーバ装置５は、ステップＳＴ４０３の処理を実行する。一方、ビーコン信号が検出されない場合（ステップＳ４０１；ＮＯ）、信号受信部２３は、ステップＳ４０１の処理を繰り返す。
ステップＳ４０３において、注意判定部５６は、送信元情報記憶部５３１を参照して、識別情報に対応する送信元情報を取得する。
【０１１０】
ステップＳ４０５において、注意判定部５６は、送信元情報記憶部５３１が識別情報に対応する送信元情報を記憶しているか否かに応じて、注意度判定処理を実行するビーコン信号であるか否か、すなわち、監視対象の送信機１から送信されたビーコン信号であるか否かを判定する。監視対象の送信機１から送信されたビーコン信号であると判定した場合（ステップＳ４０５；ＹＥＳ）、注意判定部５６は、ステップＳ４０７の処理を実行する。一方、監視対象の送信機１から送信されたビーコン信号でないと判定した場合（ステップＳ４０５；ＮＯ）、サーバ装置５は、注意度判定処理を終了する。なお、送信元情報が道案内、プッシュ広告、クーポン配信用等に設置された固定されたビーコン等の監視対象でない送信機１であると判断できない場合には、すべて監視対象の送信機１と判定してもよい。
【０１１１】
ステップＳ４０７において、注意判定部５６は、位置情報に基づいて、位置情報に対応する周囲情報を周囲情報記憶部５３２から取得する。
ステップＳ４０９において、車両情報要求部５５１は、車両情報および運転者情報を情報処理装置２に要求し、情報処理装置２から取得した車両情報、運転者情報を注意判定部５６に出力する。
【０１１２】
ステップＳ４１１において、注意判定部５６は、運転者情報、周囲情報、送信元情報、車両情報に基づいて、注意スコアを算出し、注意スコアから注意度を算出する。
ステップＳ４１３において、注意判定部５６は、算出した注意度が所定閾値以上であるか否かを判定する。注意度が所定閾値以上である場合（ステップＳ４１３；ＹＥＳ）、サーバ装置５は、情報処理装置２に判定結果を送信し、情報処理装置２の通知部２７は、ステップＳ４１５の処理を実行する。一方、注意度が所定閾値未満である場合（ステップＳ４１３；ＮＯ）、サーバ装置５は、ステップＳ４１７の処理を実行する。
【０１１３】
ステップＳ４１５において、情報処理装置２の通知部２７は、サーバ装置５の注意判定部５６から入力された判定結果を監視対象に対して注意が必要であることを表す注意メッセージ（アラートともいう）を運転者に通知する。その後、注意判定処理を終了する。
ステップＳ４１７において、注意判定部５６は、情報処理装置２からビーコン信号が入力されているか否かを判定する。ビーコン信号が入力されている場合（ステップＳ４１７；ＹＥＳ）、車両情報要求部５５１は、ステップＳ４１９の処理を実行する。一方、ビーコン信号が入力されていない場合（ステップＳ４１７；ＮＯ）、サーバ装置５は、注意度判定処理を終了する。
【０１１４】
ステップＳ４１９において、車両情報要求部５５１は、車両情報を情報処理装置２に要求して取得し、注意判定部５６は、ステップＳ４１１の処理を実行する。
【０１１５】
このように、第４の実施形態に係る情報処理システムは、送信機１から送信されるビーコン信号を受信する信号受信部２３と、ビーコン信号に含まれる情報に基づいて、通知対象の送信機１であるか否かを判定する注意判定部５６と、通知対象の送信機１であると判定した場合に、注意が必要であることを通知する通知部２７と、を備える。
また、周囲情報を取得する注意判定部５６と、周囲情報に基づいて、注意が必要であるか否かを判定する注意判定部５６と、をさらに備え、通知部２７は、注意判定部５６による判定結果に応じて、注意が必要であることを通知する。
【０１１６】
このような構成により、監視対象に対する注意が必要であることを運転者に対して通知することができ、監視サービスにおけるユーザの利便性を向上させることができる。
【０１１７】
（第５の実施形態）
以下、図面を参照しながら本発明の第５の実施形態について説明する。
第５の実施形態では、エンジン状態に応じて注意と判定処理を行う場合の一例について説明する。
なお、第５の実施形態に係る情報処理装置２、サーバ装置５の機能構成は、第１の実施形態に係る情報処理装置２、サーバ装置５の機能構成と同様であるので図示および説明を省略し、第５の実施形態で異なる部分を中心に説明する。
【０１１８】
図１７は、本発明の第５の実施形態に係る注意度判定処理の一例を示すフローチャートである。
ステップＳ５０１において、信号受信部２３は、ビーコン信号の検出を開始する。ビーコン信号を検出した場合（ステップＳ５０１；ＹＥＳ）、情報処理装置２は、ステップＳ５０３の処理を実行する。一方、ビーコン信号が検出されない場合（ステップＳ５０１；ＮＯ）、信号受信部２３は、ステップＳ５０１の処理を繰り返す。
ステップＳ５０３において、車両情報取得部２５１は、エンジン状態や速度等の車両情報を取得する。
【０１１９】
ステップＳ５０５にいて、注意判定部２６は、車両情報に含まれるエンジンの状態情報を参照して、エンジンの状態がオンであるか否かを判定する。エンジンの状態がオンであると判定した場合（ステップＳ５０５；ＹＥＳ）、注意判定部２６は、ステップＳ５０７の処理を実行する。一方、エンジンの状態がオンでないと判定した場合（ステップＳ５０５；ＮＯ）、注意判定部２６は、注意度判定処理を終了する。
ステップＳ５０７において、注意判定部２６は、図９に示すような、車両の速度と、ビーコン受信レベルの閾値との対応表に基づいて、ビーコン信号の受信レベルの閾値を算出する。
【０１２０】
ステップＳ５０９において、注意判定部２６は、信号受信部２３が測定したビーコン信号の受信レベルが、ビーコン信号の受信レベルの閾値以上であるか否かを判定する。ビーコン信号の受信レベルが、閾値以上である場合（ステップＳ５０９；ＹＥＳ）、送信元情報取得部２５３は、ステップＳ５１１の処理を実行する。一方、ビーコン信号の受信レベルが、閾値未満である場合（ステップＳ５０９；ＮＯ）、注意判定部２６は、ステップＳ５１５の処理を実行する。
【０１２１】
ステップＳ５１１において、送信元情報取得部２５３は、ビーコン信号に含まれる識別情報をサーバ装置５に送信し、サーバ装置５から送信元情報を取得できたか否かに応じて、注意度判定処理を実行するビーコン信号であるか否か、すなわち、監視対象の送信機１から送信されたビーコン信号であるか否かを判定する。監視対象の送信機１から送信されたビーコン信号であると判定した場合（ステップＳ５１１；ＹＥＳ）、注意判定部２６は、通知部２７に判定結果を出力し、通知部２７は、ステップＳ５１３の処理を実行する。一方、監視対象の送信機１から送信されたビーコン信号でないと判定した場合（ステップＳ５１１；ＮＯ）、情報処理装置２は、注意度判定処理を終了する。なお、送信元情報が道案内、プッシュ広告、クーポン配信用等に設置された固定されたビーコン等の監視対象でない送信機１であると判断できない場合には、すべて監視対象の送信機１と判定してもよい。
【０１２２】
ステップＳ５１３において、通知部２７は、注意判定部２６から入力された判定結果を監視対象に対して注意が必要であることを表す注意メッセージ（アラートともいう）を運転者に通知する。その後、注意判定処理を終了する。
【０１２３】
ステップＳ５１５において、注意判定部２６は、信号受信部２３からビーコン信号が入力されているか否かを判定する。ビーコン信号が入力されている場合（ステップＳ５１５；ＹＥＳ）、注意判定部２６は、ステップＳ５１７の処理を実行する。一方、ビーコン信号が入力されていない場合（ステップＳ５１５；ＮＯ）、情報処理装置２は、注意度判定処理を終了する。
ステップＳ５１７において、注意判定部２６は、信号受信部２３から入力されるビーコン信号の受信レベルに基づいて、ステップＳ５０９の処理を実行する。ここで、ステップＳ５０３に進み、最新の速度情報に更新してから、ステップＳ５０５以降の処理を実行してもよい。
【０１２４】
このように、第５の実施形態に係る情報処理システムは、送信機１から送信されるビーコン信号を受信する信号受信部２３と、ビーコン信号に含まれる情報に基づいて、通知対象の送信機１であるか否かを判定する送信元情報取得部２５３と、送信元情報取得部２５３が、通知対象の送信機１であると判定した場合に、注意が必要であることを通知する通知部２７と、を備える。
【０１２５】
このような構成により、監視対象に対する注意が必要であることを運転者に対して通知することができ、監視サービスにおけるユーザの利便性を向上させることができる。また、緊急性が低い注意度を通知することなくより注意が必要な状態であるときに、注意が必要であることを通知することができるため、不必要な通知を削減することができ、ユーザの利便性を向上させることができる。
【０１２６】
なお、上述した各実施形態や各変形例では、監視対象の送信元情報を識別情報と対応付けて記憶する場合の一例を説明したが、監視対象の送信機１の識別情報に対応する送信元情報であるが、注意度判定処理が不要な識別情報を、ホワイトリストとして登録し、該ホワイトリストに含まれる識別情報に対しては注意度判定処理を行わなくてもよい。
また、送信元情報をサーバ装置５が記憶する場合の一例について説明したが、情報処理装置２が送信元情報を記憶してもよい。
また、ビーコン信号には、識別情報だけではなく、送信元情報も含まれてもよい。この場合、送信元情報の問い合わせを行わなくてもよい。また、ビーコン信号に送信元情報が含まれる場合には、識別情報が含まれなくてもよい。
また、車両の方向指示器をオンにした場合など、所定操作を検出した場合に、閾値を変更したり、複数の判定処理を組み合わせたりして、注意度判定処理の判定精度を向上させてもよい。
また、ビーコン信号の送信レベルが既知である場合は、受信レベルと比較して、対象と車両との間の距離を算出し、該距離に応じて注意度判定処理を実行してもよい。
【０１２７】
なお、上述した各実施形態や各変形例の１つまたは複数、上述した各実施形態や各変形例の一部または全部を組み合わせて本発明の一態様を実現するようにしてもよい。
【０１２８】
なお、本発明の一態様における情報処理装置２、サーバ装置５で動作するプログラムは、本発明の一態様に関わる上記の各実施形態や変形例で示した機能を実現するように、１つ、または複数の、ＣＰＵ（Ｃｅｎｔｒａｌ  Ｐｒｏｃｅｓｓｉｎｇ  Ｕｎｉｔ）等のプロセッサを制御するプログラム（コンピュータを機能させるプログラム）であっても良い。そして、これらの各装置で取り扱われる情報は、その処理時に一時的にＲＡＭ（Ｒａｎｄｏｍ  Ａｃｃｅｓｓ  Ｍｅｍｏｒｙ）に蓄積され、その後、フラッシュメモリやＨＤＤ（Ｈａｒｄ  Ｄｉｓｋ  Ｄｒｉｖｅ）等の各種ストレージに格納され、必要に応じてＣＰＵ等によって読み出し、修正・書き込みが行われても良い。
【０１２９】
なお、上述した各実施形態や変形例における情報処理装置２、サーバ装置５の一部又は全部を１つ、または複数のプロセッサを備えたコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１３０】
なお、ここでいう「コンピュータシステム」とは、情報処理装置２、サーバ装置５に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１３１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３２】
また、上述した各実施形態や変形例における情報処理装置２、サーバ装置５の一部、又は全部を典型的には集積回路であるＬＳＩとして実現してもよいし、チップセットとして実現してもよい。また、上述した各実施形態や変形例における情報処理装置２、サーバ装置５の各機能ブロックは個別にチップ化してもよいし、一部、又は全部を集積してチップ化してもよい。また、集積回路化の手法は、ＬＳＩに限らず専用回路、および／または汎用プロセッサで実現しても良い。また、半導体技術の進歩によりＬＳＩに代替する集積回路化の技術が出現した場合、当該技術による集積回路を用いることも可能である。
【０１３３】
また、上述した各実施形態や変形例では、情報処理装置２、サーバ装置５を記載したが、本願発明の一態様は、これに限定されるものではなく、屋内外に設置される据え置き型、および／または非可動型の電子機器、例えば、ＡＶ機器、キッチン機器、掃除・洗濯機器、空調機器、オフィス機器、自動販売機、自動車、自転車、その他生活機器、通信機器などに搭載される表示部などにも適用出来る。また、表示部を備えない電子機器に適用してもよい。
【０１３４】
以上、この発明の一態様として各実施形態や変形例に関して図面を参照して詳述してきたが、具体的な構成は各実施形態や変形例に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【０１３５】
以上、図面を参照してこの発明の実施形態について詳しく説明してきたが、具体的な構成は上述のものに限られることはなく、この発明の要旨を逸脱しない範囲内において様々な設計変更等をすることが可能である。
【符号の説明】
【０１３６】
Ｃ  車両
ＣＥ  セル
ＮＴ  通知
ＮＷ  ネットワーク
１  送信機
２  情報処理装置
２１  記憶部
２１１  運転者情報記憶部
２１２  閾値記憶部
２１３  運転履歴記憶部
２２  制御部
２３  信号受信部
２４  通信部
２５  情報取得部
２５１  車両情報取得部
２５２  位置情報取得部
２５３  送信元情報取得部
２５４  周囲情報取得部
２６  注意判定部
２７  通知部
２０１  ＣＰＵ
２０２  ドライブ部
２０３  記憶媒体
２０４  入力部
２０５  出力部
２０６  ＲＯＭ
２０７  ＲＡＭ
２０８  補助記憶部
２０９  インタフェース部
３  基地局装置
４  サーバ装置
５  サーバ装置
５０１  ＣＰＵ
５０２  ドライブ部
５０３  記憶媒体
５０４  入力部
５０５  出力部
５０６  ＲＯＭ
５０７  ＲＡＭ
５０８  補助記憶部
５０９  インタフェース部
５１  通信部
５２  制御部
５３  記憶部
５３１  送信元情報記憶部
５３２  周囲情報記憶部
５５  情報要求部
５５１  車両情報要求部
５６  注意判定部
【図１】
2019053417.tif 000003
【図２】
2019053417.tif 000004
【図３】
2019053417.tif 000005
【図４】
2019053417.tif 000006
【図５】
2019053417.tif 000007
【図６】
2019053417.tif 000008
【図７】
2019053417.tif 000009
【図８】
2019053417.tif 000010
【図９】
2019053417.tif 000011
【図１０】
2019053417.tif 000012
【図１１】
2019053417.tif 000013
【図１２】
2019053417.tif 000014
【図１３】
2019053417.tif 000015
【図１４】
2019053417.tif 000016
【図１５】
2019053417.tif 000017
【図１６】
2019053417.tif 000018
【図１７】
2019053417.tif 000019